(57)【要約】      （修正有）【課題】耐衝撃性を確保し周囲環境の変化に影響されず水深下の水圧に耐え得る防水機能を備えた防水機器を提供する。【解決手段】表示光を透過させる透過性の板状の表示窓部材５と、表示窓部材を配置する第１開口４ｇを有し第１開口の内周縁から内側に向けて張り出すように第１開口の内周縁に全周にわたって形成され表示窓部材を支持する棚状受け面４ｈが形成された筐体４と、第１開口に対応する位置に第２開口２ｇを有し防水機器１の一面を覆うように設けられた金属製の外観部材２と、表示窓部材の周縁の一方の面５ｈと筐体の棚状受け面との間に挟まれて配置された第１の発泡体６と、表示窓部材の周縁の他方の面と筐体の第１開口の周縁４ｊとに跨がって配置されかつ外観部材の裏面２ｊと筐体の第１開口の外側周囲面４ｊと表示窓部材の周縁の他方の面との間に挟まれて配置された第２の発泡体７とを具備する。【選択図】図３
2009216826.tif 000002
【特許請求の範囲】
【請求項１】
表示用窓を有する防水機器において、
表示光を透過させる透過性の板状の表示窓部材と、
上記表示窓部材を配置する第１の開口を有し、この第１の開口の内周縁から内側に向けて張り出すように全周にわたって形成され上記表示窓部材を支持する棚状の受け面が形成された筐体と、
上記第１の開口に対応する位置に第２の開口を有し当該防水機器の一面を覆うように設けられた金属製の外観部材と、
上記表示窓部材の周縁の一方の面と上記筐体の上記棚状受け面との間に挟まれて配置された第１の発泡体と、
上記表示窓部材の周縁の他方の面と上記筐体の上記第１の開口の周縁とに跨がって配置され、かつ上記外観部材の裏面と上記筐体の上記第１の開口の外側周囲面と上記表示窓部材の周縁の他方の面との間に挟まれて配置された第２の発泡体と、
を具備したことを特徴とする表示用窓を有する防水機器。
【請求項２】
表示用窓を有する防水機器において、
表示を行うための表示器と、
上記表示器からの表示光を透過させる透過性の板状の表示窓部材と、
上記表示窓部材を配置する第１の開口を有し、この第１の開口の内周縁から内側に向けて張り出すように全周にわたって形成され上記表示窓部材を支持する棚状の受け面が形成された筐体と、
上記第１の開口に対応する位置に第２の開口を有し当該防水機器の一面を覆うように設けられた金属製の外観部材と、
上記表示窓部材の一方の面の周縁と上記筐体の上記棚状受け面との間に挟まれて配置された第１の発泡体と、
上記表示窓部材の他方の面の周縁と上記筐体の上記第１の開口の周縁とに跨がって配置され、かつ上記外観部材の裏面と上記筐体の上記第１の開口の外側周囲面と上記表示窓部材の他方の面の周縁との間に挟まれて配置された第２の発泡体と、
を具備したことを特徴とする表示用窓を有する防水機器。
【請求項３】
上記第１の発泡体と上記第２の発泡体とは、特殊ポリオレフィン発泡体であることを特徴とする請求項１または請求項２に記載の表示用窓を有する防水機器。
【発明の詳細な説明】
【技術分野】
【０００１】
この発明は、表示用窓を有する防水機器、詳しくは画像や各種情報表示用の表示装置の表示部を機器の表面に露呈させる表示用窓を有する防水機器における防水構造に関するものである。
【背景技術】
【０００２】
従来、画像や各種情報表示用の表示装置を有するデジタルカメラ等の機器において、防水機能を備えると共に、落下等に起因する衝撃力に対する耐衝撃性を備えた機器が種々実用化されている。
【０００３】
この場合において、特に表示装置の表示部を機器表面に露呈させる表示用窓が設けられる部位の防水機能及び耐衝撃性を確保する手段については、例えば特開平１０−７９５８２号公報，特開２００３−１３３７５４号公報等、種々の提案がなされている。
【０００４】
上記特開平１０−７９５８２号公報によって開示されている手段は、透明部材からなる筐体と、この筐体の外側を覆う外装部材として弾性を有する衝撃吸収材とを一体に構成した筐体構造において、外側の衝撃吸収材に、その内側の透明部材を部分的に外部に露呈させる開口部を設けることで、防水機能と耐衝撃性を確保するというものである。
【０００５】
上記特開２００３−１３３７５４号公報によって開示されている手段は、開口部を有する外装部材と、この開口部を塞ぐように設けられる透明部材とによって構成される機器において、外装部材と透明部材との間に弾性を有するパッキング部材を挟んで配置した状態で、各部材間を接着剤や両面粘着テープ等を用いて接合するというものである。
【特許文献１】特開平１０−７９５８２号公報
【特許文献２】特開２００３−１３３７５４号公報
【発明の開示】
【発明が解決しようとする課題】
【０００６】
ところが、上記特開平１０−７９５８２号公報によって開示されている手段によれば、筐体の外側のほぼ全体にわたって衝撃吸収部材を設けるようにしているので、この衝撃吸収部材の分だけ、機器が全体として大型化してしまうという問題点がある。また、近年、普及しているような極めて小型で軽量な携帯機器に対して、当該手段を適用する場合には、機器自体にかかる荷重に対して加重な構成になってしまう場合がある。
【０００７】
また、上記特開２００３−１３３７５４号公報によって開示されている手段においては、部材間の接合を接着剤や両面粘着テープを用いて構成している。この場合において、接着剤や両面粘着テープは、例えば温度変化の激しい環境下等においては、その接合性能が未知であり、常温下では防水機能や耐衝撃性を備えているとしても、低温下や高温下での使用を考慮したものではないので、温度環境の変化には対応できないという問題点がある。
【０００８】
そして、近年においては、例えば水深環境下における水圧に耐え得ると同時に、過酷な使用条件下での防水機能を有し、かつ組み立て性を考慮して簡単な構造の小型機器が、常に望まれる傾向にある。
【０００９】
本発明は、上述した点に鑑みてなされたものであって、その目的とするところは、表示用窓を有する防水機器において、落下等に起因する衝撃力を吸収して構成部材の破壊を抑え得る耐衝撃性を確保すると共に、温度変化等の周囲環境の変化に影響されずに、かつある程度の水深水圧に耐え得る充分な防水機能を備えた防水機器を提供することである。
【課題を解決するための手段】
【００１０】
上記目的を達成するために、本発明による表示用窓を有する防水機器は、表示用窓を有する防水機器において、表示光を透過させる透過性の板状の表示窓部材と、上記表示窓部材を配置する第１の開口を有し、この第１の開口の内周縁から内側に向けて張り出すように全周にわたって形成され上記表示窓部材を支持する棚状の受け面が形成された筐体と、上記第１の開口に対応する位置に第２の開口を有し当該防水機器の一面を覆うように設けられた金属製の外観部材と、上記表示窓部材の周縁の一方の面と上記筐体の上記棚状受け面との間に挟まれて配置された第１の発泡体と、上記表示窓部材の周縁の他方の面と上記筐体の上記第１の開口の周縁とに跨がって配置され、かつ上記外観部材の裏面と上記筐体の上記第１の開口の外側周囲面と上記表示窓部材の周縁の他方の面との間に挟まれて配置された第２の発泡体と、を具備したことを特徴とする。
【発明の効果】
【００１１】
本発明によれば、表示用窓を有する防水機器において、落下等に起因する衝撃力を吸収して構成部材の破壊を抑え得る耐衝撃性を確保すると共に、温度変化等の周囲環境の変化に影響されずに、かつある程度の水深水圧に耐え得る充分な防水機能を備えた防水機器を提供することができる。
【発明を実施するための最良の形態】
【００１２】
以下、図示の実施の形態によって本発明を説明する。
【００１３】
本発明の一実施形態は、本発明を適用した防水機器として、光学レンズ及び撮像素子等を用いて光学像を電子的な画像データとして撮影し記録し得ると共に、撮影し記録された画像データに基づく画像を表示する表示装置を有し、この表示装置の表示部を機器表面に露呈させる表示用窓を備えて構成されるデジタルカメラを例示するものである。
【００１４】
図１は、本発明の一実施形態のデジタルカメラの背面側を示す外観斜視図である。図２は、図１のデジタルカメラにおける背面側の構成部材を取り出して示す要部分解斜視図である。図２は、図１の［ＩＩＩ］−［ＩＩＩ］線に沿う断面図である。
【００１５】
まず、本実施形態のデジタルカメラの概略構成について、主に図１を用いて以下に説明する。
【００１６】
本実施形態のデジタルカメラ１は、内部に設けられる各種構成ユニットの外面を覆いカメラ本体を形成する筐体（図１では図示せず。図２の符号４は該筐体の一部を構成する部材である。詳細は後述する）と、このカメラ本体の外面側を覆う外観部材とによって構成されており、その外形形状は、例えば略直方体形状に形成されている。
【００１７】
本デジタルカメラ１の外観部材は、当該デジタルカメラ１の前面側と上下面及び両側面を覆う前側外観部材３と、同デジタルカメラ１の背面側を覆う後側外観部材２とによって構成される。前側外観部材３と後側外観部材２とは、いずれも金属部材等により形成されている。
【００１８】
なお、本実施形態においては、デジタルカメラ１を使用するときの姿勢を考慮して、本デジタルカメラ１の使用時に被写体に対向する側の面をデジタルカメラ１の前面とし、撮影者が対面する側の面をデジタルカメラ１の背面というものとする。また、撮影動作の際に操作すべき操作部材、例えばシャッターボタン１０ｂ等が配設されている側の面を上面とし、これに対向する面を底面とする。そして、本デジタルカメラ１の通常の使用時（いわゆる撮影画面の長辺を水平方向となるようにデジタルカメラ１を構えた場合）に左右に配置される面を側面というものとする。
【００１９】
本デジタルカメラ１の背面には、各種の操作部材、例えば撮影時に撮影画像の変倍率（ズーム率）を変更したり再生時に再生画像の拡大表示や縮小表示または一画像表示とサムネイル画像表示とを切り換える等の画像表示形態を切り換えるＴＷボタン１０ｃや各種の撮影動作モード等の切り換えを行うモードダイヤル１０ｄ，撮影時に各種撮影条件の設定指示を行ったり再生時に表示画像の切り換え指示を行う十字キー１０ｆ，この十字キー１０ｆにて設定した撮影条件を決定する決定ボタン（ＯＫボタン）１０ｅ等が配設されている。なお、本実施形態のデジタルカメラ１において、これら複数の操作部材（１０ｃ，１０ｄ，１０ｅ，１０ｆ）は、本デジタルカメラ１の背面に向かって右寄りの部位に配設されている。そして、本デジタルカメラ１の背面において、上記操作部材（１０ｃ，１０ｄ，１０ｅ，１０ｆ）の配設されている部位以外の領域には、表示装置（それ自体は図示せず）の一部を構成し画像が表示される表示画面を有する表示器１１（図３も参照）が配設されている。この表示器１１としては、例えば液晶ディスプレイ等が適用されている。
【００２０】
また、本デジタルカメラ１の上面には、例えば電源状態のオンオフ切り換えを行う電源ボタン（１０ａ）と、撮影動作時に操作するシャッターボタン（１０ｂ）等の操作部材が配設されている。
【００２１】
なお、上記各種の操作部材１０ａ〜１０ｆは、カメラ本体（図示せず）の内部に配設される各種の構成ユニットの電気部品に連動しており、使用者が各操作部材１０ａ〜１０ｆを所望のときに任意に操作することによって指示信号が生じるようになっている。この指示信号は、本デジタルカメラ１の内部に設けられる制御回路（図示せず）に伝達され、これによって、当該制御回路は受信した指示信号に応じて各種の動作制御を行うようになっている。
【００２２】
このように構成された本実施形態のデジタルカメラ１において、その背面側の部材構成の詳細を、主に図２，図３を用いて以下に説明する。
【００２３】
本デジタルカメラ１において、後側カバー４は、例えば樹脂成形等によって形成されており、上述したように、カメラ本体（筐体）の一部を構成する部材であって、該カメラ本体の背面側を覆うように設けられる部材である。この後側カバー４は、図２に示すように、上記各種の操作部材（１０ａ，１０ｂ，１０ｃ，１０ｄ，１０ｅ，１０ｆ）に対応する切欠き４ａ，開口４ｃ，４ｄ等と、上記表示器１１（図１参照）に対応する第１の開口である表示器用開口４ｇが形成されている。
【００２４】
この後側カバー４の一面には、金属製の平板部材等からなる外観部材である後側外観部材２が、本デジタルカメラ１の背面側の一面を覆うように設けられている。この後側外観部材２には、上記各種の操作部材（１０ｃ，１０ｄ，１０ｅ）のそれぞれを外部に露呈させるための開口２ｃ，２ｄ，２ｅと、上記表示器１１に対応する第２の開口である表示窓２ｇが形成されている。
【００２５】
そして、図２に示すように、後側カバー４と後側外観部材２との間にあって、表示器用開口４ｇ（第１の開口）と表示窓２ｇ（第２の開口）とに各対応する部位には、表示窓部材５が配設されている。この表示窓部材５は、表示器１１からの表示光を透過させる透過性の板状部材、例えば透明アクリル樹脂や透明ガラス等によって形成されている。
【００２６】
ここで、表示窓部材５は、表示器用開口４ｇ（第１の開口）と表示窓２ｇ（第２の開口）との間に挟まれるようにして配設されている。
【００２７】
そのために、後側カバー４の表示器用開口４ｇ（第１の開口）には、図２，図３に示すように、該表示器用開口４ｇの内周縁から内側に向けて張り出すように形成された棚状の受け面４ｈが、表示器用開口４ｇの内周縁の全周にわたって形成されている。この棚状受け面４ｈの最内周縁部には、図３に示すように断面が凸状に形成される突部４ｉが背面側に向けて突設されている。
【００２８】
一方、表示窓部材５の外周縁部５ｂの一方の面には、上記棚状受け面４ｈに対応させて略同形状の棚状の受け面５ｈが形成されている。したがって、外周縁部５ｂは、光透過窓部５ａより薄くなっている。
【００２９】
このような構成により、表示窓部材５は、後側カバー４の表示器用開口４ｇに対して背面側から嵌め込まれるように配置され、上記棚状受け面４ｈによって棚状受け面５ｈが支持されるようになっている。
【００３０】
そして、この場合において、後側カバー４の棚状受け面４ｈと表示窓部材５の棚状受け面５ｈとの間には、第１の発泡体であって、例えば防水性を有しかつ独立孔を内部に複数有することで柔軟性に富んだ特殊ポリオレフィン発泡体等の発泡体を基台とした第１の発泡体である第１発泡体両面接着テープ（以下、第１テープと略記する）６が挟まれて配置されている。
【００３１】
したがって、これにより、棚状受け面４ｈと棚状受け面５ｈとは、第１テープ６によって弾力を保持しつつ開口全周に沿って接着固定されている。そして、このとき、表示窓部材５と後側カバー４とは、図３に示す符号Ｄ１，Ｄ２の隙間を設けて互いの配置が設定されている。
【００３２】
一方、後側カバー４の表示器用開口４ｇに対して表示窓部材５が背面側から嵌め込まれて棚状受け面４ｈに棚状受け面５ｈが支持されている状態においては、表示窓部材５の周縁の他方の面５ｊと、後側カバー４の表示器用開口４ｇの周縁の外面４ｊとに跨がる開口全周に沿った部位（図３の符号Ｗ参照）に、第２の発泡体であって上記第１の発泡体と同様に例えば特殊ポリオレフィン発泡体等の発泡体を基台とした第２発泡体両面接着テープ（以下、第２テープと略記する）７が配置されている。
【００３３】
これにより、後側カバー４の外面４ｊと、表示窓部材５の他方の面５ｊとは、第２テープ７によって平面方向において一体となるように接着固定されている。このとき、表示窓部材５と後側カバー４とは、図３に示す符号Ｄ３の隙間を設けて互いの配置が設定されている。そして、この第２テープ７の外面側には、後側外観部材２の表示窓２ｇの内側近傍の裏面２ｊが配置されている。
【００３４】
したがって、第２テープ７は、後側外観部材２の表示窓２ｇの内側近傍の裏面２ｊと、後側カバー４の表示器用開口４ｇの内縁近傍の外面４ｊ及び表示窓部材５の周縁の他方の面５ｊとの間に挟まれて配置されている。これにより、後側外観部材２を、後側カバー４及び表示窓部材５に対して弾力を保持しつつ接着固定している。
【００３５】
なお、後側カバー４，表示窓部材５，後側外観部材２は、それぞれが異なる素材からなるものである。例えば樹脂製の後側カバー４，樹脂製又はガラス製の表示窓部材５，金属製の後側外観部材２である場合、各素材は、異なる線膨張係数を持つ。したがって、当該デジタルカメラ１が、例えば高温高湿度環境又は低温環境に置かれた場合の異種部材による異なる線膨張係数を考慮して、本実施形態のデジタルカメラ１においては、上述のように各部材間に隙間（図３の符号Ｄ１，Ｄ２，Ｄ３）を設け、かつ柔軟な発泡体を基台とする第１テープ６，第２テープ７を用いて各部材間を接合することで、防水性を確保しながら、異種部材間の温度変化により収縮を吸収することができるようになっている。
【００３６】
このような構成により、本デジタルカメラ１においては、表示窓部材５と後側カバー４と後側外観部材２とをそれぞれ所定の部位で接着固定する第１テープ６及び第２テープ７は、発泡体を基台としたものを用い、かつ表示窓部材５と後側カバー４とを図３の符号Ｄ１，Ｄ２で示す隙間を設け、表示窓部材５と後側外観部材２とを図３の符号Ｄ３で示す隙間を設けて配置したので、例えば表示窓部材５や後側外観部材２に対して外部からの衝撃力が加わったときには、第１テープ６，第２テープ７の弾性によって衝撃力により生じたせん断エネルギーを吸収し、表示窓部材５や後側外観部材２が図３に示す矢印Ｘ方向に移動することができるようになっている。
【００３７】
また、表示窓部材５に対して図３の矢印Ｙ方向の外力が加わったときには、第１テープ６，第２両面テープ７は、圧縮または伸長するようになっている。これにより、表示窓部材５に加わった曲げモーメントを吸収している。
【００３８】
したがって、第１テープ６は、表示窓部材５と後側カバー４との間にあって特に棚状受け面５ｈ，４ｈ近傍にかかる外部からの衝撃力を吸収する。また、第２テープ７は、後側外観部材２と後側カバー４及び表示窓部材５との間で外部からの衝撃力を吸収する。
【００３９】
さらに、第１テープ６，第２テープ７は、防水性を備えているので、後側外観部材２と表示窓部材５との間、及び表示窓部材５と後側カバー４との間における防水機能を発揮する。
【００４０】
そして、表示窓部材５は、後側カバー４の表示器用開口４ｇを塞ぐように配置されているので、本デジタルカメラ１を水中環境下に置いたときには、表示窓部材５が水圧を受け止める。これにより、内部に設けられる表示器１１の表示画面にかかる水圧を抑制し保護する。この場合において、表示窓部材５は、例えば水深１０ｍ程度の水圧に耐え得る。
【００４１】
以上説明したように本発明の一実施形態によれば、表示窓部材５と後側カバー４との間においては、第１発泡体両面接着テープ６を挟んで接着固定したので、防水機能を確保することができると共に、両者間を弾性的に接合して、外力が加わったときに、これを吸収することができる。よって、防水機能を確保すると共に耐衝撃性の向上に寄与することができる。
【００４２】
また、表示窓部材５及び後側カバー４と後側外観部材２との間においては、第２発泡体両面接着テープ７を挟んで接着固定したので、同様に防水機能を確保することができると共に、両者間を弾性的に接合して、外力が加わったときに、これを吸収することができる。よって、防水機能を確保すると共に耐衝撃性の向上に寄与することができる。
【００４３】
第１発泡体両面接着テープ６，第２発泡体両面接着テープ７は、後側外観部材２，後側カバー４，表示窓部材５が外部からの衝撃力によって変形した場合にも、その変形を柔軟に受け止めることができる。したがって、耐衝撃性の向上に寄与することができる。
【００４４】
また、後側カバー４と表示窓部材５とに跨がる部位に第２発泡体両面接着テープ７を配し、これを覆うように後側外観部材２を設けたので、より確実な防水を行なうことができると共に、後側外観部材２への外力が加わった時には、第２発泡体両面接着テープ７が圧縮されることで耐防水力をさらに増加させることができ、かつ衝撃に対する耐性も備えることができる。
【００４５】
一方、異種部材間の線膨張係数に起因して生じる防水機能の劣化を考慮して、各部材間の配置を隙間（Ｄ１，Ｄ２，Ｄ３）を設けて設定し、各部材間の接合に発泡体を基台とした両面テープを用いたので、温度変化等の周囲環境の変化に影響されずに、常に確実な防水機能を確保することができる。
【００４６】
さらに、表示器用開口４ｇに対して表示窓部材５の位置決めは、両者に設けた棚状受け面４ｈ，５ｈにより常に確実にかつ容易に行なうことができ、その状態で接着テープによる接着固定をすればよいので、組立作業の簡素化に寄与することができる。
【００４７】
なお、上記一実施形態においては、表示用窓を有する防水機器としてデジタルカメラを例示しているが、本発明を適用し得る防水機器としては、これに限ることはなく、例えばビデオカメラ，携帯電話，携帯型音楽プレーヤ，ＩＣレコーダ等、主に携帯して使用され防水機能を有する電子機器に対しても全く同様に適用することができる。
【００４８】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００４９】
【図１】本発明の一実施形態のデジタルカメラの背面側を示す外観斜視図。
【図２】図１のデジタルカメラにおける背面側の構成部材を取り出して示す要部分解斜視図。
【図３】図１の［ＩＩＩ］−［ＩＩＩ］線に沿う断面図。
【符号の説明】
【００５０】
１……デジタルカメラ
２……後側外観部材
２ｇ……表示窓
３……前側外観部材
４……後側カバー
４ｇ……表示器用開口
４ｈ……棚状受け面
５……表示窓部材
６……第１発泡体両面接着テープ
７……第２発泡体両面接着テープ
１０ａ，１０ｂ，１０ｃ，１０ｄ，１０ｅ，１０ｆ……操作部材
１１……表示器
【図１】
2009216826.tif 000003
【図２】
2009216826.tif 000004
【図３】
2009216826.tif 000005